(57)【特許請求の範囲】
【請求項１】
光ディスクに対して記録データに対応して出力される記録用パワーの光ビームを照射し、この記録データを記録する記録手段と、
光ディスクに対して再生用パワーの光ビームを照射し、この光ビームの反射光を検出し、この反射光に反映された記録データを再生する再生手段と、
前記記録手段により光ディスクの所定位置に対してデータを記録した後、前記再生手段によりこの所定位置に記録されたデータを再生し、この所定位置の終端を検出するとともに、この終端に続く未記録領域から前記記録手段により再びデータを記録させる追加記録手段と、
前記追加記録手段による追加記録時における再生により得られる再生結果に基づき、前記記録手段により記録データを記録するときの記録用パワーを制御するパワー制御手段と、
記録データをバッファリングするバッファと、
前記バッファにバッファリングされている記録データの容量を監視する監視手段と、
前記監視手段により前記バッファにバッファリングされている記録データの容量が所定容量を下回ったことが検知されると、バッファアンダーランを発生するバッファアンダーラン発生手段と、
前記バッファアンダーランの発生に対応して、前記記録手段による記録動作を中断させる記録中断制御手段と、
前記記録中断制御手段により記録動作が中断させられているとき、前記監視手段により前記バッファにバッファリングされている記録データの容量が所定容量以上に回復したことが検知されると、バッファアンダーラン解除を発生させるバッファアンダーラン解除発生手段と、
前記バッファアンダーラン解除の発生に対応して、前記バッファアンダーランの発生前に記録されたデータと前記バッファアンダーランの解除後に記録されるデータとが連続するように、前記追加記録手段による追加記録により中断されていた記録動作を再開させる記録再開制御手段と、
前記追加記録手段による追加記録が実行され、これに伴い前記パワー制御手段により記録用パワーが制御されてから、所定期間にわたり前記バッファアンダーランが発生しないとき、故意に前記バッファアンダーラン及び前記バッファアンダーラン解除を発生させるバッファアンダーラン制御手段と、
を備え、
前記バッファアンダーラン制御手段による故意の前記バッファアンダーラン及び前記バッファアンダーラン解除の発生に伴い、前記追加記録手段による追加記録が実行され、これに伴い定期的に前記パワー制御手段による記録用パワー制御が実行される、
ことを特徴とする光ディスク装置。
【請求項２】
光ディスクに対して記録データに対応して出力される記録用パワーの光ビームを照射し、この記録データを記録する記録手段と、
光ディスクに対して再生用パワーの光ビームを照射し、この光ビームの反射光を検出し、この反射光に反映された記録データを再生する再生手段と、
前記記録手段により光ディスクの所定位置に対してデータを記録した後、前記再生手段によりこの所定位置に記録されたデータを再生し、この所定位置の終端を検出するとともに、この終端に続く未記録領域から前記記録手段により再びデータを記録させる追加記録手段と、
前記追加記録手段による追加記録時における再生により得られる再生結果に基づき、前記記録手段により記録データを記録するときの記録用パワーを制御するパワー制御手段と、
記録データをバッファリングするバッファと、
前記バッファにバッファリングされている記録データの容量を監視する監視手段と、
前記監視手段により前記バッファにバッファリングされている記録データの容量が所定容量を下回ったことが検知されると、バッファアンダーランを発生するバッファアンダーラン発生手段と、
前記バッファアンダーランの発生に対応して、前記記録手段による記録動作を中断させる記録中断制御手段と、
前記記録中断制御手段により記録動作が中断させられているとき、前記監視手段により前記バッファにバッファリングされている記録データの容量が所定容量以上に回復したことが検知されると、バッファアンダーラン解除を発生させるバッファアンダーラン解除発生手段と、
前記バッファアンダーラン解除の発生に対応して、前記バッファアンダーランの発生前に記録されたデータと前記バッファアンダーランの解除後に記録されるデータとが連続するように、前記追加記録手段による追加記録により中断されていた記録動作を再開させる記録再開制御手段と、
前記記録手段により記録データの記録が進められているとき、所定期間にわたり前記バッファアンダーランが発生しないと、故意に前記バッファアンダーラン及び前記バッファアンダーラン解除を発生させるバッファアンダーラン制御手段と、
を備え、
前記バッファアンダーラン制御手段による故意の前記バッファアンダーラン及び前記バッファアンダーラン解除の発生に伴い、前記追加記録手段による追加記録が実行され、これに伴い定期的に前記パワー制御手段による記録用パワー制御が実行される、
ことを特徴とする光ディスク装置。
【請求項３】
光ディスクに対して記録データに対応して出力される記録用パワーの光ビームを照射し、この記録データを記録する記録手段と、
光ディスクに対して再生用パワーの光ビームを照射し、この光ビームの反射光を検出し、この反射光に反映された記録データを再生する再生手段と、
前記記録手段により光ディスクの所定位置に対してデータを記録した後、前記再生手段によりこの所定位置に記録されたデータを再生し、この所定位置の終端を検出するとともに、この終端に続く未記録領域から前記記録手段により再びデータを記録させる追加記録手段と、
前記追加記録手段による追加記録時における再生により得られる再生結果に基づき、前記記録手段により記録データを記録するときの記録用パワーを制御するパワー制御手段と、
記録データをバッファリングするバッファと、
前記バッファにバッファリングされている記録データの容量を監視する監視手段と、
前記監視手段により前記バッファにバッファリングされている記録データの容量が所定容量を下回ったことが検知されると、バッファアンダーランを発生するバッファアンダーラン発生手段と、
前記バッファアンダーランの発生に対応して、前記記録手段による記録動作を中断させる記録中断制御手段と、
前記記録中断制御手段により記録動作が中断させられているとき、前記監視手段により前記バッファにバッファリングされている記録データの容量が所定容量以上に回復したことが検知されると、バッファアンダーラン解除を発生させるバッファアンダーラン解除発生手段と、
前記バッファアンダーラン解除の発生に対応して、前記バッファアンダーランの発生前に記録されたデータと前記バッファアンダーランの解除後に記録されるデータとが連続するように、前記追加記録手段による追加記録により中断されていた記録動作を再開させる記録再開制御手段と、
前記追加記録手段による追加記録が実行され、これに伴い前記パワー制御手段により記録用パワーが制御されてから、所定期間にわたり前記バッファアンダーランが発生しないとき、故意に前記バッファアンダーラン及び前記バッファアンダーラン解除を発生させるバッファアンダーラン制御手段と、
を備え、
前記バッファアンダーラン制御手段による故意の前記バッファアンダーラン及び前記バッファアンダーラン解除の発生に伴い、前記追加記録手段による追加記録が実行され、これに伴い定期的に前記パワー制御手段による記録用パワー制御が実行され、
前記パワー制御手段は、前記追加記録手段による追加記録時における再生により得られる信号のピークレベルとボトムレベルの中間レベル、及びこの信号の平均レベルに基づき記録用パワーを調整する、
ことを特徴とする光ディスク装置。
【請求項４】
光ディスクの調整領域に対してテストパターンに対応して光ビームを照射し、この調整領域に対してこのテストパターンを記録し、この調整領域に対して再生用パワーの光ビームを照射し、この調整領域からの反射光を検出し、この反射光に反映された記録データの再生結果に基づき、前記記録用パワーを決定する記録用パワー決定手段を備えたことを特徴とする請求項１、２、又は３に記載の光ディスク装置。
【請求項５】
光ディスクの半径位置に応じて用意された、光ビームの記録用パワーの補正データを記憶する記憶手段と、
前記記録手段により光ディスクの所定位置に対して記録データを記録するとき、この所定位置が該当する半径位置に対応する補正データを前記記憶手段から読み出し、この読み出した補正データにより前記記録用パワーを補正する補正手段と、
を備えたことを特徴とする請求項１、２、又は３に記載の光ディスク装置。
【請求項６】
光ディスクに対して記録データに対応して出力される記録用パワーの光ビームを照射し、この記録データを記録する記録ステップと、
前記記録ステップにより光ディスクの所定位置に対してデータを記録した後、光ディスクの所定位置に対して再生用パワーの光ビームを照射し、この所定位置からの反射光を検出し、この反射光に反映された記録データを再生し、この所定位置の終端を検出するとともに、この終端に続く未記録領域から再びデータを記録する追加記録ステップと、
前記追加記録ステップによる追加記録時における再生により得られる再生結果に基づき、前記記録ステップにより記録データを記録するときの記録用パワーを制御するパワー制御ステップと、
を備え、さらに、
バッファにバッファリングされている記録データの容量を監視する監視ステップと、
前記監視ステップにより前記バッファにバッファリングされている記録データの容量が所定容量を下回ったことが検知されると、バッファアンダーランを発生するバッファアンダーラン発生ステップと、
前記バッファアンダーランの発生に対応して、前記記録ステップによる記録動作を中断させる記録中断制御ステップと、
前記記録中断制御ステップにより記録動作が中断させられているとき、前記監視ステップにより前記バッファにバッファリングされている記録データの容量が所定容量以上に回復したことが検知されると、バッファアンダーラン解除を発生させるバッファアンダーラン解除発生ステップと、
前記バッファアンダーラン解除の発生に対応して、前記バッファアンダーランの発生前に記録されたデータと前記バッファアンダーランの解除後に記録されるデータとが連続するように、前記追加記録ステップによる追加記録により中断されていた記録動作を再開させる記録再開制御ステップと、
前記追加記録ステップによる追加記録が実行され、これに伴い前記パワー制御ステップにより記録用パワーが制御されてから、所定期間にわたり前記バッファアンダーランが発生しないとき、故意に前記バッファアンダーラン及び前記バッファアンダーラン解除を発生させるバッファアンダーラン制御ステップと、
を備え、
前記バッファアンダーラン制御ステップによる故意の前記バッファアンダーラン及び前記バッファアンダーラン解除の発生に伴い、前記追加記録ステップによる追加記録を実行し、これに伴い定期的に前記パワー制御ステップによる記録用パワー制御を実行する、
ことを特徴とするデータ記録照射パワー制御方法。
【請求項７】
光ディスクに対して記録データに対応して出力される記録用パワーの光ビームを照射し、この記録データを記録する記録ステップと、
前記記録ステップにより光ディスクの所定位置に対してデータを記録した後、光ディスクの所定位置に対して再生用パワーの光ビームを照射し、この所定位置からの反射光を検出し、この反射光に反映された記録データを再生し、この所定位置の終端を検出するとともに、この終端に続く未記録領域から再びデータを記録する追加記録ステップと、
前記追加記録ステップによる追加記録時における再生により得られる再生結果に基づき、前記記録ステップにより記録データを記録するときの記録用パワーを制御するパワー制御ステップと、
を備え、さらに、
バッファにバッファリングされている記録データの容量を監視する監視ステップと、
前記監視ステップにより前記バッファにバッファリングされている記録データの容量が所定容量を下回ったことが検知されると、バッファアンダーランを発生するバッファアンダーラン発生ステップと、
前記バッファアンダーランの発生に対応して、前記記録ステップによる記録動作を中断させる記録中断制御ステップと、
前記記録中断制御ステップにより記録動作が中断させられているとき、前記監視ステップにより前記バッファにバッファリングされている記録データの容量が所定容量以上に回復したことが検知されると、バッファアンダーラン解除を発生させるバッファアンダーラン解除発生ステップと、
前記バッファアンダーラン解除の発生に対応して、前記バッファアンダーランの発生前に記録されたデータと前記バッファアンダーランの解除後に記録されるデータとが連続するように、前記追加記録ステップによる追加記録により中断されていた記録動作を再開させる記録再開制御ステップと、
前記追加記録ステップによる追加記録が実行され、これに伴い前記パワー制御ステップにより記録用パワーが制御されてから、所定期間にわたり前記バッファアンダーランが発生しないとき、故意に前記バッファアンダーラン及び前記バッファアンダーラン解除を発生させるバッファアンダーラン制御ステップと、
を備え、
前記バッファアンダーラン制御ステップによる故意の前記バッファアンダーラン及び前記バッファアンダーラン解除の発生に伴い、前記追加記録ステップによる追加記録を実行し、これに伴い定期的に前記パワー制御ステップによる記録用パワー制御を実行する、
ことを特徴とするデータ記録照射パワー制御方法。
【請求項８】
光ディスクに対して記録データに対応して出力される記録用パワーの光ビームを照射し、この記録データを記録する記録ステップと、
前記記録ステップにより光ディスクの所定位置に対してデータを記録した後、光ディスクの所定位置に対して再生用パワーの光ビームを照射し、この所定位置からの反射光を検出し、この反射光に反映された記録データを再生し、この所定位置の終端を検出するとともに、この終端に続く未記録領域から再びデータを記録する追加記録ステップと、
前記追加記録ステップによる追加記録時における再生により得られる再生結果に基づき、前記記録ステップにより記録データを記録するときの記録用パワーを制御するパワー制御ステップと、
を備え、さらに、
バッファにバッファリングされている記録データの容量を監視する監視ステップと、
前記監視ステップにより前記バッファにバッファリングされている記録データの容量が所定容量を下回ったことが検知されると、バッファアンダーランを発生するバッファアンダーラン発生ステップと、
前記バッファアンダーランの発生に対応して、前記記録ステップによる記録動作を中断させる記録中断制御ステップと、
前記記録中断制御ステップにより記録動作が中断させられているとき、前記監視ステップにより前記バッファにバッファリングされている記録データの容量が所定容量以上に回復したことが検知されると、バッファアンダーラン解除を発生させるバッファアンダーラン解除発生ステップと、
前記バッファアンダーラン解除の発生に対応して、前記バッファアンダーランの発生前に記録されたデータと前記バッファアンダーランの解除後に記録されるデータとが連続するように、前記追加記録ステップによる追加記録により中断されていた記録動作を再開させる記録再開制御ステップと、
前記追加記録ステップによる追加記録が実行され、これに伴い前記パワー制御ステップにより記録用パワーが制御されてから、所定期間にわたり前記バッファアンダーランが発生しないとき、故意に前記バッファアンダーラン及び前記バッファアンダーラン解除を発生させるバッファアンダーラン制御ステップと、
を備え、
前記バッファアンダーラン制御ステップによる故意の前記バッファアンダーラン及び前記バッファアンダーラン解除の発生に伴い、前記追加記録ステップによる追加記録を実行し、これに伴い定期的に前記パワー制御ステップによる記録用パワー制御を実行し、
前記パワー制御ステップは、前記追加記録ステップによる追加記録時における再生により得られる信号のピークレベルとボトムレベルの中間レベル、及びこの信号の平均レベルに基づき記録用パワーを調整する、
ことを特徴とするデータ記録照射パワー制御方法。
【請求項９】
光ディスクの調整領域に対してテストパターンに対応して光ビームを照射し、この調整領域に対してこのテストパターンを記録し、この調整領域に対して再生用パワーの光ビームを照射し、この調整領域からの反射光を検出し、この反射光に反映された記録データの再生結果に基づき、前記記録用パワーを決定することを特徴とする請求項６、７、又は８に記載のデータ記録照射パワー制御方法。
【請求項１０】
前記記録ステップにより光ディスクの所定位置に対して記録データを記録するとき、光ディスクの半径位置に応じて予め用意された、光ビームの記録用パワーの補正データを参照して、この所定位置が該当する半径位置に対応する補正データにより前記記録用パワーを補正することを特徴とする請求項６、７、又は８に記載のデータ記録照射パワー制御方法。
【発明の詳細な説明】
【０００１】
【発明の属する技術分野】
この発明は、光ディスクに対してデータを記録したり、光ディスクに記録されたデータを再生したりする光ディスク装置に関する。また、この発明は、光ディスクに対してデータを記録するための光ビームの照射パワーを制御するデータ記録照射パワー制御方法に関する。
【０００２】
【従来の技術】
光ディスクに対して良好にデータを記録するには、記録用光ビームの照射パワー調整が必要となる。例えば、光ディスク上の所定の記録領域に対して、所定の照射パワーの記録用光ビームでデータを記録し、このデータの再生結果に基づき照射パワーを調整する方法がある。また、データ記録中に、光ディスクからの反射光をモニタして、照射パワーを調整する方法がある。
【０００３】
【発明が解決しようとする課題】
例えば、光ディスクの回転がＣＡＶ（Constant Angle Velocity）で制御されている場合、前者の照射パワー調整方法では、最適な照射パワーを得ることができないことがある。ＣＡＶ制御によると、光ディスクの半径位置に応じて線速度が異なる。従って、照射パワーが調整された半径位置と、実際にデータが記録される半径位置とが異なると、調整された照射パワーでは最適にデータが記録できないことがある。また、後者の照射パワー調整方法では、光ディスクの反りが大きい場合などに最適な照射パワーを得ることができないことがある。光ディスクの反りが大きい場合などの要因に伴い照射パワーを増加させ、この照射パワーでデータを記録すると、記録されたデータの再生信号波形のシンメトリーが悪くなる傾向がある。
【０００４】
この発明の目的は、上記した問題を解決することである。つまり、この発明の目的は、データ記録照射パワーを適切に調整することが可能な光ディスク装置及びデータ照射パワー制御方法を提供することにある。
【０００５】
【課題を解決するための手段】
上記課題を解決し目的を達成するために、この発明の光ディスク装置及びデータ記録照射パワー制御方法は、以下のように構成されている。
【０００６】
（１）この発明の光ディスク装置は、光ディスクに対して記録データに対応して出力される記録用パワーの光ビームを照射し、この記録データを記録する記録手段と、光ディスクに対して再生用パワーの光ビームを照射し、この光ビームの反射光を検出し、この反射光に反映された記録データを再生する再生手段と、前記記録手段により光ディスクの所定位置に対してデータを記録した後、前記再生手段によりこの所定位置に記録されたデータを再生し、この所定位置の終端を検出するとともに、この終端に続く未記録領域から前記記録手段により再びデータを記録させる追加記録手段と、前記追加記録手段による追加記録時における再生により得られる再生結果に基づき、前記記録手段により記録データを記録するときの記録用パワーを制御するパワー制御手段とを備えている。
【０００７】
（２）この発明のデータ記録照射パワー制御方法は、光ディスクに対して記録データに対応して出力される記録用パワーの光ビームを照射し、この記録データを記録する記録ステップと、前記記録ステップにより光ディスクの所定位置に対してデータを記録した後、光ディスクの所定位置に対して再生用パワーの光ビームを照射し、この所定位置からの反射光を検出し、この反射光に反映された記録データを再生し、この所定位置の終端を検出するとともに、この終端に続く未記録領域から再びデータを記録する追加記録ステップと、前記追加記録ステップによる追加記録時における再生により得られる再生結果に基づき、前記記録ステップにより記録データを記録するときの記録用パワーを制御するパワー制御ステップとを備えている。
【０００８】
【発明の実施の形態】
以下、この発明の実施の形態について図面を参照して説明する。
【０００９】
図１は、この発明の光ディスク装置の一例を示すブロック図である。光ディスク装置は、光ディスク１に対してデータを記録したり、光ディスク１に記録されたデータを再生したりする。光ディスク装置は、システムコントローラ１０、ディスクモータ１２、光ピックアップ１４、ＲＦアンプ１６、信号処理回路１８、レーザ発光ドライバ２０、レーザ出力設定回路２２、比較補正回路２４、ＲＦ信号振幅値検出回路２６、エンコード処理回路２８、バッファメモリ３０、及びインターフェース３２を備えている。
【００１０】
システムコントローラ１０は、各部を制御して光ディスクにデータを記録させたり、光ディスクに記録されたデータを再生させたりする。ディスクモータ１２は、光ディスクを回転駆動させる。光ピックアップ１４は、光ディスクに対して光ビームを照射する半導体レーザを備えている。この半導体レーザは、記録用パワーの光ビーム及び再生用パワーの光ビームを出力する。また、光ピックアップ１４は、光ディスクからの反射光を検出する光検出器を備えている。この光検出器は、光ディスクからの反射光を電気信号、即ち再生信号に変換して出力する。
【００１１】
ＲＦアンプ１６は、再生信号からＲＦ信号及びサーボ用信号を生成する。信号処理回路１８は、ＲＦ信号をデコードする。また、信号処理回路１８は、サーボ用信号から光ピックアップのフォーカス及びトラッキングをコントロールするコントロール信号を生成する。さらに、信号処理回路１８は、サーボ用信号からディスクモータの回転をコントロールするコントロール信号を生成する。
【００１２】
レーザ出力設定回路２２は、システムコントローラ１０から供給される光ビームの記録用パワー及び再生用パワーの設定値を設定する。また、レーザ出力設定回路２２は、ＲＦ信号から得られる反射率変動に基づき、記録用パワーの設定値を調整する。レーザ発光ドライバ２０は、レーザ出力設定回路２２による設定に基づくパワーの光ビームを、光ピックアップ１４に搭載された半導体レーザから発光させる。
【００１３】
ＲＦ信号振幅値検出回路２６は、再生信号のシンメトリーを検出する。つまり、図２に示すように、ＲＦ信号振幅値検出回路２６は、再生信号の振幅平均値を検出し、再生信号のピークレベルとボトムレベルの中間値を検出する。比較補正回路２４は、振幅平均値と中間値とを比較して、比較結果に基づき補正信号をレーザ発光ドライバ２０に供給する。具体的に言うと、比較補正回路２４は、振幅平均値と中間値とを比較して振幅平均値が中間値より低い場合にはレーザ出力設定回路による設定値よりレーザ発光出力を下げる補正信号を出力する。逆に、比較補正回路２４は、振幅平均値と中間値とを比較して振幅平均値が中間値より高い場合にはレーザ出力設定回路による設定値よりレーザ発光出力を上げる補正信号を出力する。
【００１４】
エンコード処理回路２８は、記録データをエンコードする。バッファメモリ３０は、エンコード処理回路２８で処理されるデータ及び処理されたデータを一時的に保存する。インターフェース３２は、外部からの記録データをエンコード処理回路２８に供給したり、信号処理回路１８でデコードされた再生データを外部に供給したりする。
【００１５】
光ディスクが装填された状態の光ディスク装置の電源がオンされたとき、又は電源がオンされた状態の光ディスク装置に対して光ディスクが装填されたとき、システムコントローラ１０により記録性能が調整される。つまり、光ディスクの調整領域に対してテストパターンを記録して、このテストパターンの再生結果に基づき記録パワーが調整される。調整領域は、例えば光ディスクの内周側に設けられているとする。この調整領域を利用した記録パワーの調整を初期パワー調整と呼ぶ。
【００１６】
ここで、この初期パワー調整について説明する。システムコントローラ１０は、エンコード処理回路２８にテストパターンを生成させる。レーザ発光ドライバ２０は、テストパターンに対応して半導体レーザを発光させる。このとき、システムコントローラ１０は、レーザ出力設定回路２２に対して、段階的にレーザパワーが変化するような出力値を供給する。これに伴い、半導体レーザのパワーは段階的に変化する。つまり、段階的に変化するレーザパワーによりテストパターンが記録される。このテストパターンを再生して、記録用パワーが決定される。インターフェース３２を介して記録データが入力されると、テストパターンの再生により決定された記録用パワーにより、記録データが記録される。
【００１７】
光ディスクの回転がＣＡＶで制御されている場合、光ディスクの半径位置に応じて線速度が異なる。つまり、光ディスクの内周よりも外周の方が、線速度が速くなる。以下のように、この線速度変化に対応して記録パワーが制御される。光ディスクの記録領域を半径方向に複数に分割する。言い換えると、光ディスクの記録領域を半径距離の異なる複数のドーナツ状に分割する。データ記録中において、データ記録先が分割の境界の指定領域に達し、且つ記録中断可能なデータの記録になると（記録中断条件が満たされると）、記録が中断される。記録中断可能なデータとは、記録フォーマットが崩れない同期信号などのデータ部分である。
【００１８】
装置が振動を受けたときには、外部から記録中断の指示が出される。この記録中断の指示は、インターフェース３２を介して入力される。或いは、記録データが不足すると、記録中断の指示が出される。記録中断の指示が出され、上記した記録中断条件が満たされたときに、記録が中断される。外部から記録中断の指示が出されたときは、この記録中断指示が確認された後、記録中断フラグが外部に返される。振動が収まりサーボ制御が安定すると、外部から記録再開の指示が出される。また、記録データの不足が解消されたときも、記録再開の指示が出される。
【００１９】
ここで、記録データの不足に伴う記録の中断、及び記録データの不足解消に伴う記録の再開について説明する。記録データは、インターフェース３２及びエンコード処理回路２８を介して、バッファメモリ３０にバッファリングされる。エンコード処理回路２８は、バッファメモリ３０にバッファリングされている記録データの容量を監視する。バッファメモリ３０にバッファリングされている記録データの容量が所定容量を下回ったことが検知されると、エンコード処理回路２８からシステムコントローラ１０に対して、バッファアンダーランが通知される。この通知を受けたシステムコントローラ１０は、記録中断条件が満たされたときに、各部を制御して記録動作を中断させる。記録動作が中断させられているとき、バッファメモリ３０にバッファリングされている記録データの容量が所定容量以上に回復したことが検知されると、エンコード処理回路２８からシステムコントローラ１０に対して、バッファアンダーラン解除が通知される。この通知を受けたシステムコントローラ１０は、バッファアンダーランの発生前に記録されたデータとバッファアンダーランの解除後に記録されるデータとが連続するように、各部を制御して記録動作を再開させる。これにより、追加記録が実現される。
【００２０】
ここで、図３を参照して、記録動作の再開について説明する。記録動作が中断されてから記録動作が再開されるまでの間、光ピックアップ１４は、記録中断位置が存在する半径位置のトラックに留められている。記録動作の再開に伴い、光ピックアップ１４は、記録中断位置が存在する半径位置のトラックから、より内周側のトラック（記録済みの領域）に向けてトラックジャンプされる。トラックジャンプ完了後に、再生動作が開始される。この再生により記録中断位置が検出されると、この記録中断位置から記録動作に切り替わり、この記録中断位置から追加記録が開始される。つまり、光ディスクの所定位置に対してデータが記録された後、記録動作が中断されると、この所定位置に記録されたデータが再生され、この所定位置の終端が検出される。そして、この終端に続く未記録領域から再びデータが記録される。
【００２１】
ここでポイントとなるのが、記録中断位置（終端）を検出するまでに得られた再生信号に基づき、記録パワーを調整する点である。つまり、追加記録が実行される前の再生により得られる再生信号に基づき、記録パワーが調整される。この記録中断位置検出時の再生を利用した記録パワーの調整を二次パワー調整と呼ぶ。
【００２２】
ここで、この二次パワー調整について説明する。まず、ＲＦ信号振幅値検出回路２６は、再生信号のシンメトリーを検出する。つまり、図２に示すように、ＲＦ信号振幅値検出回路２６は、再生信号の振幅平均値を検出し、再生信号のピークレベルとボトムレベルの中間値を検出する。そして、比較補正回路２４は、振幅平均値と中間値とを比較して、比較結果に基づき補正信号をレーザ発光ドライバ２０に供給する。振幅平均値と中間値とがほぼ同じ値の場合は、記録パワーは最適であると判断される。つまり、記録パワーを補正する信号は供給されない。振幅平均値が中間値より低い場合は、記録パワーが強すぎると判断される。つまり、記録パワーを下げる補正信号が供給され、記録パワーが下げられる。逆に、振幅平均値が中間値より高い場合は、記録パワーが弱すぎると判断される。つまり、記録パワーを上げる補正信号が供給され、記録パワーが上げられる。このような記録パワーの調整が、記録中断位置を検出するまでの再生中に実行される。従って、記録中断位置から再開される追加記録時には、調整された記録パワーでデータが記録されることになる。
【００２３】
なお、二次パワー調整以前は、初期パワー調整により調整された記録パワーによりデータが記録される。一度、二次パワー調整により記録パワーが調整されると、この二次パワー調整により調整された記録パワーが基準となり、この基準の記録パワーによりデータの記録が進められる。さらに、この後、記録動作が中断されると、さらに二次パワー調整が実行される。このとき、前回の二次パワー調整により調整され記録パワーが、さらに調整されることになる。
【００２４】
また、システムコントローラ１０に記録パワー補正テーブルを持たせ、この記録パワー補正テーブルを適宜利用するようにしてもよい。この記録パワー補正テーブルには、光ディスクの半径位置別に用意された記録パワーの補正データが格納されている。光ディスク装置に対して一部分にデータが記録された光ディスクを装填して、この光ディスクに追加記録を行なう場合には、初期パワー調整による調整結果と、記録パワー補正テーブルに格納された補正データを利用する。一部分にデータが記録された光ディスクに対して新たに追加記録する場合、調整領域が位置する半径位置とかけ離れた半径位置にデータが記録されることが想定される。つまり、初期パワー調整で調整された記録パワーがそのまま利用できないことがある。従って、この初期パワー調整で調整された記録パワーでデータを書き始めて、次第に二次パワー調整で記録パワーを調整しようとすると、予想以上に時間がかかってしまうことがある。これを防止するために、初期パワー調整で調整された記録パワーをダイレクトに使うのではなく、初期パワー調整で調整された記録パワーを、記録パワー補正テーブルに格納された補正データで補正して使う。これにより、短時間で最適な記録パワーに調整することができる。
【００２５】
以上説明したように、初期パワー調整に加えて二次パワー調整を利用したり、初期パワー調整に加えて補正データテーブル及び二次パワー調整を利用したりすることにより、最適な記録パワーを効率良く得ることができる。結果的に、光ディスク全面に対して、適切にデータを記録することができる。
【００２６】
以下、図４に示すフローチャートを参照して、この発明の記録パワー制御についてまとめる。
【００２７】
光ディスクが装填された状態の光ディスク装置の電源がオンされたとき（ＳＴ１０、ＹＥＳ）、又は電源がオンされた状態の光ディスク装置に対して光ディスクが装填されたとき（ＳＴ１０、ＹＥＳ）、システムコントローラ１０により初期パワー調整が開始される（ＳＴ１２）。初期パワー調整の詳細説明は上記した通りである。
【００２８】
システムコントローラ１０がデータ記録要求を受けると（ＳＴ１４、ＹＥＳ）、レーザ出力設定回路２２は初期パワー調整により調整された記録パワーを設定する（ＳＴ１６）。詳しく説明すると、初期パワー調整により調整された記録パワーが、システムコントローラ１０が持つ記録パワー補正テーブルの補正データに基づき補正され設定される。これにより、記録先の半径位置に適した記録パワーによりデータが記録できる。
【００２９】
記録パワーが設定されると（ＳＴ１６）、記録が開始される（ＳＴ１８）。この記録中に記録動作中断の指示が確認され（ＳＴ２０、ＹＥＳ）、記録中断条件が満たされると（ＳＴ２２、ＹＥＳ）、システムコントローラ１０は記録動作を中断させる（ＳＴ２４）。この後、記録動作再開の指示が確認されると（ＳＴ２６、ＹＥＳ）、システムコントローラ１０は記録動作再開のため、トラックジャンプを実行させ、記録済みトラックを再生させる（ＳＴ２８）。このとき、記録中断位置（終端）が検出されるまでに得られた再生信号に基づき、記録パワーが調整される。つまり、ＲＦ信号振幅値検出回路２６が、再生信号の振幅平均値を検出し、再生信号のピークレベルとボトムレベルの中間値を検出する（ＳＴ３０）。そして、比較補正回路２４が、振幅平均値と中間値とを比較して、比較結果に基づき補正信号をレーザ発光ドライバ２０に供給する。振幅平均値と中間値とがほぼ同じ値の場合は（ＳＴ３２、ＮＯ）（ＳＴ３４、ＮＯ）（ＳＴ３６）、記録パワーは最適であると判断される。つまり、記録パワーを補正する信号は供給されない。振幅平均値が中間値より低い場合は（ＳＴ３２、ＮＯ）（ＳＴ３４、ＹＥＳ）、記録パワーが強すぎると判断される。つまり、記録パワーを下げる補正信号が供給され、記録パワーが下げられる（ＳＴ３８）。逆に、振幅平均値が中間値より高い場合は（ＳＴ３２、ＹＥＳ）、記録パワーが弱すぎると判断される。つまり、記録パワーを上げる補正信号が供給され、記録パワーが上げられる（ＳＴ４０）。このような記録パワーの調整が、記録中断位置を検出するまでの再生中に実行される。従って、記録中断位置から再開される追加記録時には、調整された記録パワーでデータが記録されることになる（ＳＴ１６）。このあと、記録中断指示が無く（ＳＴ２０、ＮＯ）、記録が終了すると（ＳＴ４２、ＹＥＳ）、記録動作は完結する。なお、光ディスクの外周トラックにデータが記録された後、光ディスクの最内周トラックにデータが記録される場合には、初期パワー調整により調整された記録パワーが設定される。
【００３０】
上記説明では、記録データの不足に伴いバッファアンダーランが発生し、記録データの不足解消に伴いバッファアンダーラン解除が発生するケースについて説明した。しかし、この発明はこれだけに限定されるものではない。例えば、システムコントローラ１０が、記録データの容量に関係なく、所定のタイミングでバッファアンダーラン及びバッファアンダーラン解除を発生するようにしてもよい。これにより、所定のタイミングで追加記録が実行されることになり、これに伴い所定のタイミングで記録パワーが制御されることになる。この所定のタイミングについてより具体的に説明する。
【００３１】
つまり、追加記録が実行され、これに伴い記録パワーが制御されてから、所定期間にわたりバッファアンダーランが発生しないとき、システムコントローラ１０が故意にバッファアンダーラン及びバッファアンダーラン解除を発生するようにしてもよい。これにより、定期的に記録パワーが制御されることになる。或いは、追加記録の実行、これに伴う記録パワー制御の実行に関係なく、所定期間にわたりバッファアンダーランが発生しないとき、システムコントローラ１０が故意にバッファアンダーラン及びバッファアンダーラン解除を発生するようにしてもよい。これにより、定期的に記録用パワーが制御されることになる。
【００３２】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３３】
【発明の効果】
この発明によれば、データ記録照射パワーを適切に調整することが可能な光ディスク装置及びデータ照射パワー制御方法を提供できる。
【図面の簡単な説明】
【図１】この発明の光ディスク装置の一例を示すブロック図である。
【図２】再生信号の振幅平均値、及び再生信号のピークレベルとボトムレベルの中間値を説明するための図である。
【図３】記録動作の再開を説明するための図である。
【図４】記録パワー制御を説明するためのフローチャートである。
【符号の説明】
１０…システムコントローラ
１２…ディスクモータ
１４…光ピックアップ
１６…ＲＦアンプ
１８…信号処理回路
２０…レーザ発光ドライバ
２２…レーザ出力設定回路
２４…比較補正回路
２６…ＲＦ信号振幅値検出回路
２８…エンコード処理回路
３０…バッファメモリ
３２…インターフェース
【図１】
0003987308.tif 000002
【図２】
0003987308.tif 000003
【図３】
0003987308.tif 000004
【図４】
0003987308.tif 000005